(57)【要約】【課題】本発明は夜間ランニング用ライトを開示した。【解決手段】ライト台座を含み、前記ライト台座の中には下に開口した縦溝が設置され、前記縦溝の中には保護機構が設置され、前記保護機構は前記縦溝の左端壁に位置している弾性溝を含み、前記縦溝の右端壁には方形溝が設置され、前記弾性溝の下端壁には弾性ばねが固定的に設置され、前記弾性ばねの上端には前記弾性溝とスライドできるように連結される弾性ブロックが固定的に設置され、前記弾性ブロックの上端面にはラックロッドが固定的に設置され、前記弾性ブロックの右端面には右端が前記縦溝を貫通しており、且つ前記方形溝の中に位置している太い軸が回転できるように設置される。【選択図】図１
2020184495.tif 000002
【特許請求の範囲】
【請求項１】
正面視で、ライト台座を含み、前記ライト台座の中には下に開口した縦溝が設置され、前記縦溝の中には保護機構が設置され、前記保護機構は前記縦溝の左端壁に位置している弾性溝を含み、前記縦溝の右端壁には方形溝が設置され、前記弾性溝の下端壁には弾性ばねが固定的に設置され、前記弾性ばねの上端には前記弾性溝とスライドできるように連結される弾性ブロックが固定的に設置され、前記弾性ブロックの上端面にはラックロッドが固定的に設置され、前記弾性ブロックの右端面には右端が前記縦溝を貫通しており、且つ前記方形溝の中に位置している太い軸が回転できるように設置され、前記縦溝の中において太い軸にはリールが固定的に設置され、前記縦溝の後端壁にはガイドブロックが固定的に設置され、前記リールには下端が前記ガイドブロックを貫通しているロープが周設れ、前記ロープの下端が外部に位置しており、且つ引きリングが固定的に設置され、前記太い軸の右端には溝ブロックが固定的に設置され、前記溝ブロックの中には移動溝が上下に対称的に設置され、下側の前記移動溝を例として説明し、前記移動溝の下端壁には下端壁と右端壁とが前記方形溝に連通している回転溝が設置され、前記移動溝の上端壁には移動ばねが固定的に設置され、前記移動ばねのもう一端には下端が前記方形溝の中に位置している移動ロッドが固定的に設置され、前記移動ロッドの後端面には斜めロッドが回転できるように設置され、二つの前記斜めロッドが回転できるように連結され、二つの前記斜めロッドの右側には二つの前記斜めロッドと回転できるように連結される横向きブロックが一つ設置され、前記方形溝の後端壁には定位ロッドが固定的に設置され、前記定位ロッドには弾性板が回転できるように設置され、前記弾性板と前記定位ロッドとの間にはねじりばねが設置され、前記弾性板の右端面の上側には右端が外部に位置している取っ手が固定的に設置され、前記縦溝の左端壁の中には前記ライト台座を貫通している円柱溝が設置され、前記円柱溝の端壁にはスポンジブロックが固定的に設置され、前記ライト台座の中には外端が外部に連通している環状ＬＥＤライトが植設され、前記ライト台座の中にはまた電源と加減抵抗器とが植設され、前記電源と、前記加減抵抗器及び前記環状ＬＥＤライトが電線により直列接続され、前記加減抵抗器の上側には前記加減抵抗器と連結される速度センサーが設置され、また、前記移動ロッドの止めにより、前記溝ブロックが前記方形溝の中で回転できなく、前記引きリングを引くとき直接に前記リールを引いて下がらせることができることを特徴とする夜間ランニング用ライト。
【請求項２】
前記縦溝の上端壁の中には横向き溝が設置され、前記ラックロッドの上端が前記横向き溝の中に位置しており、前記横向き溝の左端壁には細い軸が回転できるように設置され、前記細い軸には前記ラックロッドと噛合し伝動する歯車が固定的に設置され、前記横向き溝の後端壁には液体保存ブロックと液体排出ブロックとが固定的に設置され、前記液体保存ブロックの中には液体保存溝が設置され、前記液体排出ブロックの中には液体排出溝が設置され、前記液体排出溝の中には密封板がスライドできるように設置され、前記密封板の左端面には左端が前記横向き溝の中に位置している横向きロッドが固定的に設置され、前記横向きロッドと前記細い軸とがネジ山により連結され、前記液体保存溝と前記液体排出溝とが送り管により連通しており、前記送り管の中には小逆止弁が設置され、前記横向き溝の右端壁の中には右に開口した円溝が設置され、前記円溝の左端壁にはノズルが固定的に設置され、前記ノズルと前記液体排出溝とが液体噴射管により連通しており、前記液体噴射管の中には大逆止弁が設置され、また、前記ラックロッドが運動するとき、前記ラックロッドと前記歯車との噛合伝動及び、前記細い軸と前記横向きロッドとのネジ山連結により、前記密封板を前記液体排出溝の中で左右に運動連動させることができることを特徴とする請求項１に記載の夜間ランニング用ライト。
【発明の詳細な説明】
【技術分野】
【０００１】
本発明は灯具分野を取り上げて、具体的には夜間ランニング用ライトである。
【背景技術】
【０００２】
現代社会の発展に伴い、人々の労働時間はますます長くなっており、夜間ランニングを日常生活の体を鍛える方式とする人もますます多くなり、しかし、夜間ランニング中に、ランナー自身が著しくなく、回りの人と車両に観察されにくく、また、夜間ランニング中に不審者からの被害を注意しなければならない。
【先行技術文献】
【特許文献】
【０００３】
【特許文献１】中国特許出願公開第１０９４８８９１２号明細書
【発明の概要】
【発明が解決しようとする課題】
【０００４】
本発明の目的は夜間ランニング用ライトを提供し、それは上記の現在の技術中の問題を解決できる。
【課題を解決するための手段】
【０００５】
上記の課題を解決するため、本発明は以下の技術プランを採用する：本発明の夜間ランニング用ライトは、ライト台座を含み、前記ライト台座の中には下に開口した縦溝が設置され、前記縦溝の中には保護機構が設置され、前記保護機構は前記縦溝の左端壁に位置している弾性溝を含み、前記縦溝の右端壁には方形溝が設置され、前記弾性溝の下端壁には弾性ばねが固定的に設置され、前記弾性ばねの上端には前記弾性溝とスライドできるように連結される弾性ブロックが固定的に設置され、前記弾性ブロックの上端面にはラックロッドが固定的に設置され、前記弾性ブロックの右端面には右端が前記縦溝を貫通しており、且つ前記方形溝の中に位置している太い軸が回転できるように設置され、前記縦溝の中において太い軸にはリールが固定的に設置され、前記縦溝の後端壁にはガイドブロックが固定的に設置され、前記リールには下端が前記ガイドブロックを貫通しているロープが周設れ、前記ロープの下端が外部に位置しており、且つ引きリングが固定的に設置され、前記太い軸の右端には溝ブロックが固定的に設置され、前記溝ブロックの中には移動溝が上下に対称的に設置され、下側の前記移動溝を例として説明し、前記移動溝の下端壁には下端壁と右端壁とが前記方形溝に連通している回転溝が設置され、前記移動溝の上端壁には移動ばねが固定的に設置され、前記移動ばねのもう一端には下端が前記方形溝の中に位置している移動ロッドが固定的に設置され、前記移動ロッドの後端面には斜めロッドが回転できるように設置され、二つの前記斜めロッドが回転できるように連結され、二つの前記斜めロッドの右側には二つの前記斜めロッドと回転できるように連結される横向きブロックが一つ設置され、前記方形溝の後端壁には定位ロッドが固定的に設置され、前記定位ロッドには弾性板が回転できるように設置され、前記弾性板と前記定位ロッドとの間にはねじりばねが設置され、前記弾性板の右端面の上側には右端が外部に位置している取っ手が固定的に設置され、前記縦溝の左端壁の中には前記ライト台座を貫通している円柱溝が設置され、前記円柱溝の端壁にはスポンジブロックが固定的に設置され、前記ライト台座の中には外端が外部に連通している環状ＬＥＤライトが植設され、前記ライト台座の中にはまた電源と加減抵抗器とが植設され、前記電源と、前記加減抵抗器及び前記環状ＬＥＤライトが電線により直列接続され、前記加減抵抗器の上側には前記加減抵抗器と連結される速度センサーが設置され、また、前記移動ロッドの止めにより、前記溝ブロックが前記方形溝の中で回転できなく、前記引きリングを引くとき直接に前記リールを引いて下がらせることができる。
【０００６】
優選的には、前記縦溝の上端壁の中には横向き溝が設置され、前記ラックロッドの上端が前記横向き溝の中に位置しており、前記横向き溝の左端壁には細い軸が回転できるように設置され、前記細い軸には前記ラックロッドと噛合し伝動する歯車が固定的に設置され、前記横向き溝の後端壁には液体保存ブロックと液体排出ブロックとが固定的に設置され、前記液体保存ブロックの中には液体保存溝が設置され、前記液体排出ブロックの中には液体排出溝が設置され、前記液体排出溝の中には密封板がスライドできるように設置され、前記密封板の左端面には左端が前記横向き溝の中に位置している横向きロッドが固定的に設置され、前記横向きロッドと前記細い軸とがネジ山により連結され、前記液体保存溝と前記液体排出溝とが送り管により連通しており、前記送り管の中には小逆止弁が設置され、前記横向き溝の右端壁の中には右に開口した円溝が設置され、前記円溝の左端壁にはノズルが固定的に設置され、前記ノズルと前記液体排出溝とが液体噴射管により連通しており、前記液体噴射管の中には大逆止弁が設置され、また、前記ラックロッドが運動するとき、前記ラックロッドと前記歯車との噛合伝動及び、前記細い軸と前記横向きロッドとのネジ山連結により、前記密封板を前記液体排出溝の中で左右に運動連動させることができる。
【発明の効果】
【０００７】
以上により、本発明の有益的な効果は：本発明装置は携帯便利であり、サイズを調整でき、異なる体つきのユーザーに適し、夜間ランニング中に点灯し、車両や他の歩行者に警告を出し、ユーザーの安全を守り、また、ランニング速度が速くなるにつれてライトの色がより著しくなり、また夜間ランニング中に不審者に遭遇するとき、唐辛子スプレーを噴射し自己防衛でき、夜間ランナーの生命と財産の安全を守る。
【図面の簡単な説明】
【０００８】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【０００９】
【図１】図１は本発明の夜間ランニング用ライトの全体全断面の正面構造概略図
【図２】図２は図１のＡ―Ａの構造概略図
【図３】図３は図１のＢの拡大構造概略図
【図４】図４は図１のＣの拡大構造概略図
【発明を実施するための形態】
【００１０】
本発明書に開示した全ての特徴、或いは開示した全ての方法、過程中のステップは、互いに排斥する特徴或いはステップ以外に、いかなる方式で組み合わせることができる。
【００１１】
図１〜４を参照し、本発明の夜間ランニング用ライトは、ライト台座１０を含み、前記ライト台座１０の中には下に開口した縦溝３０が設置され、前記縦溝３０の中には保護機構６０が設置され、前記保護機構６０は前記縦溝３０の左端壁に位置している弾性溝３６を含み、前記縦溝３０の右端壁には方形溝２９が設置され、前記弾性溝３６の下端壁には弾性ばね３５が固定的に設置され、前記弾性ばね３５の上端には前記弾性溝３６とスライドできるように連結される弾性ブロック３７が固定的に設置され、前記弾性ブロック３７の上端面にはラックロッド１４が固定的に設置され、前記弾性ブロック３７の右端面には右端が前記縦溝３０を貫通しており、且つ前記方形溝２９の中に位置している太い軸４８が回転できるように設置され、前記縦溝３０の中において太い軸４８にはリール３４が固定的に設置され、前記縦溝３０の後端壁にはガイドブロック３３が固定的に設置され、前記リール３４には下端が前記ガイドブロック３３を貫通しているロープ３２が周設れ、前記ロープ３２の下端が外部に位置しており、且つ引きリング３１が固定的に設置され、前記太い軸４８の右端には溝ブロック５０が固定的に設置され、前記溝ブロック５０の中には移動溝４７が上下に対称的に設置され、下側の前記移動溝４７を例として説明し、前記移動溝４７の下端壁には下端壁と右端壁とが前記方形溝２９に連通している回転溝５４が設置され、前記移動溝４７の上端壁には移動ばね５２が固定的に設置され、前記移動ばね５２のもう一端には下端が前記方形溝２９の中に位置している移動ロッド５３が固定的に設置され、前記移動ロッド５３の後端面には斜めロッド５１が回転できるように設置され、二つの前記斜めロッド５１が回転できるように連結され、二つの前記斜めロッド５１の右側には二つの前記斜めロッド５１と回転できるように連結される横向きブロック４９が一つ設置され、前記方形溝２９の後端壁には定位ロッド２８が固定的に設置され、前記定位ロッド２８には弾性板２６が回転できるように設置され、前記弾性板２６と前記定位ロッド２８との間にはねじりばね２７が設置され、前記弾性板２６の右端面の上側には右端が外部に位置している取っ手２５が固定的に設置され、前記縦溝３０の左端壁の中には前記ライト台座１０を貫通している円柱溝１３が設置され、前記円柱溝１３の端壁にはスポンジブロック１１が固定的に設置され、前記ライト台座１０の中には外端が外部に連通している環状ＬＥＤライト１２が植設され、前記ライト台座１０の中にはまた電源１８と加減抵抗器２１とが植設され、前記電源１８と、前記加減抵抗器２１及び前記環状ＬＥＤライト１２が電線２２により直列接続され、前記加減抵抗器２１の上側には前記加減抵抗器２１と連結される速度センサー２０が設置され、また、前記移動ロッド５３の止めにより、前記溝ブロック５０が前記方形溝２９の中で回転できなく、前記引きリング３１を引くとき直接に前記リール３４を引いて下がらせることができる。
【００１２】
有益的には、前記縦溝３０の上端壁の中には横向き溝３８が設置され、前記ラックロッド１４の上端が前記横向き溝３８の中に位置しており、前記横向き溝３８の左端壁には細い軸１６が回転できるように設置され、前記細い軸１６には前記ラックロッド１４と噛合し伝動する歯車１５が固定的に設置され、前記横向き溝３８の後端壁には液体保存ブロック１９と液体排出ブロック３９とが固定的に設置され、前記液体保存ブロック１９の中には液体保存溝１７が設置され、前記液体排出ブロック３９の中には液体排出溝４０が設置され、前記液体排出溝４０の中には密封板４１がスライドできるように設置され、前記密封板４１の左端面には左端が前記横向き溝３８の中に位置している横向きロッド２４が固定的に設置され、前記横向きロッド２４と前記細い軸１６とがネジ山により連結され、前記液体保存溝１７と前記液体排出溝４０とが送り管４２により連通しており、前記送り管４２の中には小逆止弁４３が設置され、前記横向き溝３８の右端壁の中には右に開口した円溝２３が設置され、前記円溝２３の左端壁にはノズル４４が固定的に設置され、前記ノズル４４と前記液体排出溝４０とが液体噴射管４５により連通しており、前記液体噴射管４５の中には大逆止弁４６が設置され、また、前記ラックロッド１４が運動するとき、前記ラックロッド１４と前記歯車１５との噛合伝動及び、前記細い軸１６と前記横向きロッド２４とのネジ山連結により、前記密封板４１を前記液体排出溝４０の中で左右に運動連動させることができる。
【００１３】
下記に、図１〜４と上記記述した本出願の夜間ランニング用ライトの具体的な構成を参考し、本出願の夜間ランニング用ライトの使用方法を詳しく紹介する：初期状態には、移動ばね５２が引っ張り状態にある。
【００１４】
夜間ランニングする前に、腕を上から下まで円柱溝１３の中に挿入し、スポンジブロック１１と腕との摩擦により装置を適当な位置に取り付け、取っ手２５を引き、弾性板２６を回転連動させ、移動ばね５２が復帰し、二つの移動ばね５２を連動させ互いに近づかせて移動溝４７の中に挿入させ、二つの移動ロッド５３の間の距離が短くなるため、溝ブロック５０が方形溝２９の中で回転でき、このとき、人差し指を引きリング３１の中に挿入し、腕をまっすぐにし、ロープ３２を引き、リール３４を回転連動させ、取っ手２５を放し、弾性板２６が斜めロッド５１をプッシュし運動させ、二つの移動ロッド５３を連動させ互いに離れさせ、このとき、溝ブロック５０が方形溝２９の中で回転できなく、電源１８を始動し、電線２２の伝導により、環状ＬＥＤライト１２を通電させ点灯させ、夜間ランニングする間に、速度センサー２０が運動速度を検出し、加減抵抗器２１の抵抗値を変え、それにより環状ＬＥＤライト１２を通過する電流の大きさを変え、ランニング速度が速くなるにつれて、環状ＬＥＤライト１２の色がより著しくなる。
【００１５】
夜間ランニング中に不審者に遭遇するとき、腕を回し、引きリング３１を引いて下がらせ、溝ブロック５０が方形溝２９の中で回転できないため、引きリング３１がロープ３２により弾性ブロック３７を引いて下がらせることができ、それによりラックロッド１４を降下連動させ、ラックロッド１４と歯車１５との噛合伝動及び細い軸１６と横向きロッド２４とのネジ山連結により、密封板４１を右に運動連動させ液体排出溝４０の中にある唐辛子スプレーをノズル４４により不審者に噴射し、ユーザーが逃げる機会を得ることができる。
【００１６】
本発明の有益的な効果は：本発明装置は携帯便利であり、サイズを調整でき、異なる体つきのユーザーに適し、夜間ランニング中に点灯し、車両や他の歩行者に警告を出し、ユーザーの安全を守り、また、ランニング速度が速くなるにつれてライトの色がより著しくなり、また夜間ランニング中に不審者に遭遇するとき、唐辛子スプレーを噴射し自己防衛でき、夜間ランナーの生命と財産の安全を守る。
【００１７】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020184495.tif 000003
【図２】
2020184495.tif 000004
【図３】
2020184495.tif 000005
【図４】
2020184495.tif 000006
【手続補正書】
【提出日】令和1年6月20日(2019.6.20)
【手続補正１】
【補正対象書類名】特許請求の範囲
【補正対象項目名】請求項１
【補正方法】変更
【補正の内容】
【請求項１】
正面視で、ライト台座を含み、前記ライト台座の中には下に開口した縦溝が設置され、前記縦溝の中には保護機構が設置され、前記保護機構は前記縦溝の左端壁に位置している弾性溝を含み、前記縦溝の右端壁には方形溝が設置され、前記弾性溝の下端壁には弾性ばねが固定的に設置され、前記弾性ばねの上端には前記弾性溝とスライドできるように連結される弾性ブロックが固定的に設置され、前記弾性ブロックの上端面にはラックロッドが固定的に設置され、前記弾性ブロックの右端面には右端が前記縦溝を貫通しており、且つ前記方形溝の中に位置している太い軸が回転できるように設置され、前記縦溝の中において太い軸にはリールが固定的に設置され、前記縦溝の後端壁にはガイドブロックが固定的に設置され、前記リールには下端が前記ガイドブロックを貫通しているロープが周設れ、前記ロープの下端が外部に位置しており、且つ引きリングが固定的に設置され、前記太い軸の右端には溝ブロックが固定的に設置され、前記溝ブロックの中には移動溝が上下に対称的に設置され、下側の前記移動溝を例として説明し、前記移動溝の下端壁には下端壁と右端壁とが前記方形溝に連通している回転溝が設置され、前記移動溝の上端壁には移動ばねが固定的に設置され、前記移動ばねのもう一端には下端が前記方形溝の中に位置している移動ロッドが固定的に設置され、前記移動ロッドの後端面には斜めロッドが回転できるように設置され、二つの前記斜めロッドが回転できるように連結され、二つの前記斜めロッドの右側には二つの前記斜めロッドと回転できるように連結される横向きブロックが一つ設置され、前記方形溝の後端壁には定位ロッドが固定的に設置され、前記定位ロッドには弾性板が回転できるように設置され、前記弾性板と前記定位ロッドとの間にはねじりばねが設置され、前記弾性板の右端面の上側には右端が外部に位置している取っ手が固定的に設置され、前記縦溝の左端壁の中には前記ライト台座を貫通している円柱溝が設置され、前記円柱溝の端壁にはスポンジブロックが固定的に設置され、前記ライト台座の中には外端が外部に連通している環状ＬＥＤライトが植設され、前記ライト台座の中にはまた電源と加減抵抗器とが植設され、前記電源と、前記加減抵抗器及び前記環状ＬＥＤライトが電線により直列接続され、前記加減抵抗器の上側には前記加減抵抗器と連結される速度センサーが設置されることを特徴とする夜間ランニング用ライト。
【手続補正２】
【補正対象書類名】明細書
【補正対象項目名】全文
【補正方法】変更
【補正の内容】
【発明の詳細な説明】
【技術分野】
【０００１】
本発明は灯具分野を取り上げて、具体的には夜間ランニング用ライトである。
【背景技術】
【０００２】
現代社会の発展に伴い、人々の労働時間はますます長くなっており、夜間ランニングを日常生活の体を鍛える方式とする人もますます多くなり、しかし、夜間ランニング中に、ランナー自身が著しくなく、回りの人と車両に観察されにくく、また、夜間ランニング中に不審者からの被害を注意しなければならない。
【先行技術文献】
【特許文献】
【０００３】
【特許文献１】中国特許出願公開第１０９４８８９１２号明細書
【発明の概要】
【発明が解決しようとする課題】
【０００４】
本発明の目的は夜間ランニング用ライトを提供し、それは上記の現在の技術中の問題を解決できる。
【課題を解決するための手段】
【０００５】
上記の課題を解決するため、本発明は以下の技術プランを採用する：本発明の夜間ランニング用ライトは、ライト台座を含み、前記ライト台座の中には下に開口した縦溝が設置され、前記縦溝の中には保護機構が設置され、前記保護機構は前記縦溝の左端壁に位置している弾性溝を含み、前記縦溝の右端壁には方形溝が設置され、前記弾性溝の下端壁には弾性ばねが固定的に設置され、前記弾性ばねの上端には前記弾性溝とスライドできるように連結される弾性ブロックが固定的に設置され、前記弾性ブロックの上端面にはラックロッドが固定的に設置され、前記弾性ブロックの右端面には右端が前記縦溝を貫通しており、且つ前記方形溝の中に位置している太い軸が回転できるように設置され、前記縦溝の中において太い軸にはリールが固定的に設置され、前記縦溝の後端壁にはガイドブロックが固定的に設置され、前記リールには下端が前記ガイドブロックを貫通しているロープが周設れ、前記ロープの下端が外部に位置しており、且つ引きリングが固定的に設置され、前記太い軸の右端には溝ブロックが固定的に設置され、前記溝ブロックの中には移動溝が上下に対称的に設置され、下側の前記移動溝を例として説明し、前記移動溝の下端壁には下端壁と右端壁とが前記方形溝に連通している回転溝が設置され、前記移動溝の上端壁には移動ばねが固定的に設置され、前記移動ばねのもう一端には下端が前記方形溝の中に位置している移動ロッドが固定的に設置され、前記移動ロッドの後端面には斜めロッドが回転できるように設置され、二つの前記斜めロッドが回転できるように連結され、二つの前記斜めロッドの右側には二つの前記斜めロッドと回転できるように連結される横向きブロックが一つ設置され、前記方形溝の後端壁には定位ロッドが固定的に設置され、前記定位ロッドには弾性板が回転できるように設置され、前記弾性板と前記定位ロッドとの間にはねじりばねが設置され、前記弾性板の右端面の上側には右端が外部に位置している取っ手が固定的に設置され、前記縦溝の左端壁の中には前記ライト台座を貫通している円柱溝が設置され、前記円柱溝の端壁にはスポンジブロックが固定的に設置され、前記ライト台座の中には外端が外部に連通している環状ＬＥＤライトが植設され、前記ライト台座の中にはまた電源と加減抵抗器とが植設され、前記電源と、前記加減抵抗器及び前記環状ＬＥＤライトが電線により直列接続され、前記加減抵抗器の上側には前記加減抵抗器と連結される速度センサーが設置される。
【０００６】
優選的には、前記縦溝の上端壁の中には横向き溝が設置され、前記ラックロッドの上端が前記横向き溝の中に位置しており、前記横向き溝の左端壁には細い軸が回転できるように設置され、前記細い軸には前記ラックロッドと噛合し伝動する歯車が固定的に設置され、前記横向き溝の後端壁には液体保存ブロックと液体排出ブロックとが固定的に設置され、前記液体保存ブロックの中には液体保存溝が設置され、前記液体排出ブロックの中には液体排出溝が設置され、前記液体排出溝の中には密封板がスライドできるように設置され、前記密封板の左端面には左端が前記横向き溝の中に位置している横向きロッドが固定的に設置され、前記横向きロッドと前記細い軸とがネジ山により連結され、前記液体保存溝と前記液体排出溝とが送り管により連通しており、前記送り管の中には小逆止弁が設置され、前記横向き溝の右端壁の中には右に開口した円溝が設置され、前記円溝の左端壁にはノズルが固定的に設置され、前記ノズルと前記液体排出溝とが液体噴射管により連通しており、前記液体噴射管の中には大逆止弁が設置され、また、前記ラックロッドが運動するとき、前記ラックロッドと前記歯車との噛合伝動及び、前記細い軸と前記横向きロッドとのネジ山連結により、前記密封板を前記液体排出溝の中で左右に運動連動させることができる。
【発明の効果】
【０００７】
以上により、本発明の有益的な効果は：本発明装置は携帯便利であり、サイズを調整でき、異なる体つきのユーザーに適し、夜間ランニング中に点灯し、車両や他の歩行者に警告を出し、ユーザーの安全を守り、また、ランニング速度が速くなるにつれてライトの色がより著しくなり、また夜間ランニング中に不審者に遭遇するとき、唐辛子スプレーを噴射し自己防衛でき、夜間ランナーの生命と財産の安全を守る。
【図面の簡単な説明】
【０００８】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【０００９】
【図１】図１は本発明の夜間ランニング用ライトの全体全断面の正面構造概略図
【図２】図２は図１のＡ―Ａの構造概略図
【図３】図３は図１のＢの拡大構造概略図
【図４】図４は図１のＣの拡大構造概略図
【発明を実施するための形態】
【００１０】
本発明書に開示した全ての特徴、或いは開示した全ての方法、過程中のステップは、互いに排斥する特徴或いはステップ以外に、いかなる方式で組み合わせることができる。
【００１１】
図１〜４を参照し、本発明の夜間ランニング用ライトは、ライト台座１０を含み、前記ライト台座１０の中には下に開口した縦溝３０が設置され、前記縦溝３０の中には保護機構６０が設置され、前記保護機構６０は前記縦溝３０の左端壁に位置している弾性溝３６を含み、前記縦溝３０の右端壁には方形溝２９が設置され、前記弾性溝３６の下端壁には弾性ばね３５が固定的に設置され、前記弾性ばね３５の上端には前記弾性溝３６とスライドできるように連結される弾性ブロック３７が固定的に設置され、前記弾性ブロック３７の上端面にはラックロッド１４が固定的に設置され、前記弾性ブロック３７の右端面には右端が前記縦溝３０を貫通しており、且つ前記方形溝２９の中に位置している太い軸４８が回転できるように設置され、前記縦溝３０の中において太い軸４８にはリール３４が固定的に設置され、前記縦溝３０の後端壁にはガイドブロック３３が固定的に設置され、前記リール３４には下端が前記ガイドブロック３３を貫通しているロープ３２が周設れ、前記ロープ３２の下端が外部に位置しており、且つ引きリング３１が固定的に設置され、前記太い軸４８の右端には溝ブロック５０が固定的に設置され、前記溝ブロック５０の中には移動溝４７が上下に対称的に設置され、下側の前記移動溝４７を例として説明し、前記移動溝４７の下端壁には下端壁と右端壁とが前記方形溝２９に連通している回転溝５４が設置され、前記移動溝４７の上端壁には移動ばね５２が固定的に設置され、前記移動ばね５２のもう一端には下端が前記方形溝２９の中に位置している移動ロッド５３が固定的に設置され、前記移動ロッド５３の後端面には斜めロッド５１が回転できるように設置され、二つの前記斜めロッド５１が回転できるように連結され、二つの前記斜めロッド５１の右側には二つの前記斜めロッド５１と回転できるように連結される横向きブロック４９が一つ設置され、前記方形溝２９の後端壁には定位ロッド２８が固定的に設置され、前記定位ロッド２８には弾性板２６が回転できるように設置され、前記弾性板２６と前記定位ロッド２８との間にはねじりばね２７が設置され、前記弾性板２６の右端面の上側には右端が外部に位置している取っ手２５が固定的に設置され、前記縦溝３０の左端壁の中には前記ライト台座１０を貫通している円柱溝１３が設置され、前記円柱溝１３の端壁にはスポンジブロック１１が固定的に設置され、前記ライト台座１０の中には外端が外部に連通している環状ＬＥＤライト１２が植設され、前記ライト台座１０の中にはまた電源１８と加減抵抗器２１とが植設され、前記電源１８と、前記加減抵抗器２１及び前記環状ＬＥＤライト１２が電線２２により直列接続され、前記加減抵抗器２１の上側には前記加減抵抗器２１と連結される速度センサー２０が設置される。
【００１２】
有益的には、前記縦溝３０の上端壁の中には横向き溝３８が設置され、前記ラックロッド１４の上端が前記横向き溝３８の中に位置しており、前記横向き溝３８の左端壁には細い軸１６が回転できるように設置され、前記細い軸１６には前記ラックロッド１４と噛合し伝動する歯車１５が固定的に設置され、前記横向き溝３８の後端壁には液体保存ブロック１９と液体排出ブロック３９とが固定的に設置され、前記液体保存ブロック１９の中には液体保存溝１７が設置され、前記液体排出ブロック３９の中には液体排出溝４０が設置され、前記液体排出溝４０の中には密封板４１がスライドできるように設置され、前記密封板４１の左端面には左端が前記横向き溝３８の中に位置している横向きロッド２４が固定的に設置され、前記横向きロッド２４と前記細い軸１６とがネジ山により連結され、前記液体保存溝１７と前記液体排出溝４０とが送り管４２により連通しており、前記送り管４２の中には小逆止弁４３が設置され、前記横向き溝３８の右端壁の中には右に開口した円溝２３が設置され、前記円溝２３の左端壁にはノズル４４が固定的に設置され、前記ノズル４４と前記液体排出溝４０とが液体噴射管４５により連通しており、前記液体噴射管４５の中には大逆止弁４６が設置され、また、前記ラックロッド１４が運動するとき、前記ラックロッド１４と前記歯車１５との噛合伝動及び、前記細い軸１６と前記横向きロッド２４とのネジ山連結により、前記密封板４１を前記液体排出溝４０の中で左右に運動連動させることができる。
【００１３】
下記に、図１〜４と上記記述した本出願の夜間ランニング用ライトの具体的な構成を参考し、本出願の夜間ランニング用ライトの使用方法を詳しく紹介する：初期状態には、移動ばね５２が引っ張り状態にある。
【００１４】
夜間ランニングする前に、腕を上から下まで円柱溝１３の中に挿入し、スポンジブロック１１と腕との摩擦により装置を適当な位置に取り付け、取っ手２５を引き、弾性板２６を回転連動させ、移動ばね５２が復帰し、二つの移動ばね５２を連動させ互いに近づかせて移動溝４７の中に挿入させ、二つの移動ロッド５３の間の距離が短くなるため、溝ブロック５０が方形溝２９の中で回転でき、このとき、人差し指を引きリング３１の中に挿入し、腕をまっすぐにし、ロープ３２を引き、リール３４を回転連動させ、取っ手２５を放し、弾性板２６が斜めロッド５１をプッシュし運動させ、二つの移動ロッド５３を連動させ互いに離れさせ、このとき、溝ブロック５０が方形溝２９の中で回転できなく、電源１８を始動し、電線２２の伝導により、環状ＬＥＤライト１２を通電させ点灯させ、夜間ランニングする間に、速度センサー２０が運動速度を検出し、加減抵抗器２１の抵抗値を変え、それにより環状ＬＥＤライト１２を通過する電流の大きさを変え、ランニング速度が速くなるにつれて、環状ＬＥＤライト１２の色がより著しくなる。
【００１５】
夜間ランニング中に不審者に遭遇するとき、腕を回し、引きリング３１を引いて下がらせ、溝ブロック５０が方形溝２９の中で回転できないため、引きリング３１がロープ３２により弾性ブロック３７を引いて下がらせることができ、それによりラックロッド１４を降下連動させ、ラックロッド１４と歯車１５との噛合伝動及び細い軸１６と横向きロッド２４とのネジ山連結により、密封板４１を右に運動連動させ液体排出溝４０の中にある唐辛子スプレーをノズル４４により不審者に噴射し、ユーザーが逃げる機会を得ることができる。
【００１６】
本発明の有益的な効果は：本発明装置は携帯便利であり、サイズを調整でき、異なる体つきのユーザーに適し、夜間ランニング中に点灯し、車両や他の歩行者に警告を出し、ユーザーの安全を守り、また、ランニング速度が速くなるにつれてライトの色がより著しくなり、また夜間ランニング中に不審者に遭遇するとき、唐辛子スプレーを噴射し自己防衛でき、夜間ランナーの生命と財産の安全を守る。
【００１７】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。